(57)【要約】  【課題】  レンズホルダに対する保護部材を手作業で位置決めする際の作業性を従来より向上することができる光ヘッド装置を提供する。  【解決手段】  光ヘッド装置は、対物レンズ３１を保持するレンズホルダ８０と、光記録媒体が対物レンズ３１に接触することを阻止することによって光記録媒体または対物レンズ３１を保護する保護部材８１とを有し、レンズホルダ８０は、対物レンズ３１および保護部材８１の間に配置されて対物レンズ３１の搭載位置を規定する弧状突起８０ａを有し、弧状突起８０ａは、長尺方向の間に配置されて対物レンズ３１および保護部材８１を互いに対向させる中間切り欠き８０ｅを有し、保護部材８１は、弧状突起８０ａに非接触な状態でレンズホルダ８０に接着剤によって固定されていることを特徴とする。【選択図】  図７
2009238296.tif 000002
【特許請求の範囲】
【請求項１】
対物レンズを保持するレンズホルダを有し、該レンズホルダには、光記録媒体が前記対物レンズに接触することを阻止することによって前記光記録媒体または前記対物レンズを保護する保護部材を有する光ヘッド装置において、
前記レンズホルダは、前記対物レンズおよび前記保護部材の間に配置されて前記対物レンズの搭載位置を規定するレンズ規定突起を有し、
前記レンズ規定突起は、該レンズ規定突起の長尺方向の間に配置されて前記対物レンズおよび前記保護部材を互いに対向させる中間切り欠きを有し、
前記保護部材は、前記レンズ規定突起に非接触な状態で前記レンズホルダに接着剤によって固定されていることを特徴とする光ヘッド装置。
【請求項２】
前記保護部材は、該保護部材の長尺方向の両方の端部に前記接着剤が塗布されていることを特徴とする請求項１に記載の光ヘッド装置。
【請求項３】
前記レンズホルダは、前記保護部材の搭載位置を規定する保護部材規定突起を有し、
前記保護部材規定突起は、前記端部に対して前記対物レンズ側に配置されて前記端部に対して前記対物レンズ側を遮断することを特徴とする請求項２に記載の光ヘッド装置。
【請求項４】
前記保護部材は、前記対物レンズに対して前記トラッキング方向における両側のみに配置されていることを特徴とする請求項１から請求項３までの何れかに記載の光ヘッド装置。
【発明の詳細な説明】
【技術分野】
【０００１】
本発明は、ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）などの光記録ディスクの再生や記録などに用いられる光ヘッド装置に関する。
【背景技術】
【０００２】
従来の光ヘッド装置として、対物レンズを保持するレンズホルダと、光記録媒体が対物レンズに接触することを阻止することによって光記録媒体または対物レンズを保護する保護部材とを有する光ヘッド装置が知られている（例えば、特許文献１参照。）。保護部材は、レンズホルダに手作業で接着剤によって固定される。
【特許文献１】特開２００４−１７１６８０号公報
【発明の開示】
【発明が解決しようとする課題】
【０００３】
しかしながら、従来の光ヘッド装置においては、極めて小さい部品である保護部材をレンズホルダに対して手作業で位置決めする際の作業性が悪いという問題がある。
【０００４】
本発明は、従来の問題を解決するためになされたもので、レンズホルダに対する保護部材を手作業で位置決めする際の作業性を従来より向上することができる光ヘッド装置を提供することを目的とする。
【課題を解決するための手段】
【０００５】
本発明の光ヘッド装置は、対物レンズを保持するレンズホルダを有し、該レンズホルダには、光記録媒体が前記対物レンズに接触することを阻止することによって前記光記録媒体または前記対物レンズを保護する保護部材を有する光ヘッド装置において、前記レンズホルダは、前記対物レンズおよび前記保護部材の間に配置されて前記対物レンズの搭載位置を規定するレンズ規定突起を有し、前記レンズ規定突起は、該レンズ規定突起の長尺方向の間に配置されて前記対物レンズおよび前記保護部材を互いに対向させる中間切り欠きを有し、前記保護部材は、前記レンズ規定突起に非接触な状態で前記レンズホルダに接着剤によって固定されていることを特徴とする。
【０００６】
この構成により、本発明の光ヘッド装置は、保護部材がレンズホルダに搭載されるときに、保護部材を掴むためのピンセットなどの道具が中間切り欠きによってレンズ規定突起に接触しないので、保護部材がレンズホルダに搭載される手作業の作業効率を従来より向上することができる。更に、本発明の光ヘッド装置は、保護部材がレンズ規定突起に非接触であるので、保護部材がレンズ規定突起に接触している場合に比較して、保護部材をレンズホルダに固定する接着剤が硬化前にレンズ規定突起に到達し難く、その結果、本発明の光ヘッド装置のように中間切り欠きが形成された構成であっても、接着剤が硬化前に流れて中間切り欠きを介して対物レンズに到達することを防止することができる。
【０００７】
また、本発明の光ヘッド装置の前記保護部材は、該保護部材の長尺方向の両方の端部に前記接着剤が塗布されていることを特徴とすることが好ましい。
【０００８】
この構成により、本発明の光ヘッド装置は、接着剤が塗布される保護部材の端部がレンズ規定突起の中間切り欠きから離れている。故に、長尺方向の両方の端部に保護部材をレンズホルダに固定する接着剤を塗布することにより、接着剤が硬化前に流れて中間切り欠きを介して対物レンズに到達することを防止することができる。
【０００９】
また、本発明の光ヘッド装置の前記レンズホルダは、前記保護部材の搭載位置を規定する保護部材規定突起を有し、前記保護部材規定突起は、前記端部に対して前記対物レンズ側に配置されて前記端部に対して前記対物レンズ側を遮断することを特徴とすることが好ましい。
【００１０】
この構成により、本発明の光ヘッド装置は、接着剤が塗布される保護部材の端部が保護部材規定突起によって対物レンズ側を遮断されているので、保護部材をレンズホルダに固定する接着剤が硬化前に流れて対物レンズに到達することを防止することができる。
【００１１】
また、本発明の光ヘッド装置の前記保護部材は、前記対物レンズに対して前記トラッキング方向における両側のみに配置されていることを特徴とすることが好ましい。
【００１２】
この構成により、本発明の光ヘッド装置は、トラッキング方向に直交する方向に保護部材が形成されていないので、その分小型化することができる。しかも、レンズ規定突起は、中間切り欠きが、長尺方向の間に配置されている。したがって、中間切り欠きの両側に対物レンズを位置決めさせるための壁があり、この壁によって、対物レンズの固定位置を確実に位置決めすることができる。
【発明の効果】
【００１３】
本発明の光ヘッド装置は、保護部材がレンズホルダに搭載されるときに、保護部材を掴むためのピンセットなどの道具が中間切り欠きによってレンズ規定突起に接触しないので、保護部材がレンズホルダに搭載される手作業の作業効率を従来より向上することができる。更に、本発明の光ヘッド装置は、保護部材がレンズ規定突起に非接触であるので、保護部材がレンズ規定突起に接触している場合に比較して、保護部材をレンズホルダに固定する接着剤が硬化前にレンズ規定突起に到達し難く、その結果、本発明の光ヘッド装置のように中間切り欠きが形成された構成であっても、接着剤が硬化前に流れて中間切り欠きを介して対物レンズに到達することを防止することができる。
【発明を実施するための最良の形態】
【００１４】
以下、本発明の一実施の形態について、図面を用いて説明する。
【００１５】
まず、本実施の形態に係る光ヘッド装置の構成について説明する。
【００１６】
図１は、本実施の形態に係る光ヘッド装置１０の斜視図である。図２は、光ヘッド装置１０の分解斜視図である。図３は、光ヘッド装置１０の斜視図であって、一部の部品が取り除かれた状態での図である。
【００１７】
図１に示す光ヘッド装置１０は、波長が６５０ｎｍ帯のレーザ光と、波長が７８０ｎｍ帯のレーザ光とを用いてＣＤ系ディスクやＤＶＤ系ディスクなどの図示していない光記録ディスクに対する情報の再生や記録などが可能な２波長光ヘッド装置である。
【００１８】
図１〜図３に示すように、光ヘッド装置１０は、マグネシウムや亜鉛などのダイカスト品からなる金属製の装置フレーム１１と、装置フレーム１１に対して光記録ディスク側に配置されて装置フレーム１１上の各種の部品を覆う金属カバー１２および金属カバー１３と、波長が６５０ｎｍ帯のレーザ光を出射するＡｌＧａＩｎＰ系の半導体レーザを備えたレーザ光源としてのレーザ光源装置２１と、波長が７８０ｎｍ帯のレーザ光を出射するＡｌＧａＡｓ系の半導体レーザを備えたレーザ光源装置２２と、レーザ光源装置２１およびレーザ光源装置２２によって出射されたレーザ光を受光するためのモニタ用受光素子２３と、光記録ディスクの記録面で反射されたレーザ光を受光するための信号検出用受光素子２４と、レーザ光源装置２１およびレーザ光源装置２２によって出射されたレーザ光を光記録ディスクの記録面に収束させる対物レンズ３１を含む光学系３０と、装置フレーム１１に搭載されて対物レンズ３１の位置をサーボ制御するための対物レンズ駆動機構４０と、レーザ光源装置２１、レーザ光源装置２２、モニタ用受光素子２３、信号検出用受光素子２４および対物レンズ駆動機構４０などに電気的に接続されたフレキシブル回路基板５０とを備えている。
【００１９】
装置フレーム１１は、光記録ディスクを駆動する図示していないディスク駆動装置のガイド軸や送りねじ軸が係合する軸受１１ａおよび軸受１１ｂと、金属カバー１２の位置決め用の突起１１ｃと、金属カバー１２を留めるための爪１１ｄとを備えている。
【００２０】
金属カバー１２は、装置フレーム１１の突起１１ｃに嵌まる穴部１２ａと、装置フレーム１１の爪１１ｄに係合する溝部１２ｂとを備えている。
【００２１】
金属カバー１３は、対物レンズ３１から出射されるレーザ光を通過させる穴部１３ａを有しており、対物レンズ駆動機構４０を覆っている。
【００２２】
レーザ光源装置２１、レーザ光源装置２２およびモニタ用受光素子２３は、装置フレーム１１に搭載されており、金属カバー１２によって覆われている。
【００２３】
光学系３０は、レーザ光源装置２１から出射されたレーザ光を透過しレーザ光源装置２２から出射されたレーザ光を反射する光路合成用の偏光プリズム３２と、レーザ光源装置２１および偏光プリズム３２の間に配置されて１／２波長板が一体に構成された回折素子３３と、レーザ光源装置２２および偏光プリズム３２の間に配置された回折素子３４およびリレーレンズ３５と、モニタ用受光素子２３および偏光プリズム３２の間に配置されて偏光プリズム３２から出射されたレーザ光を部分反射するハーフミラー３６と、偏光プリズム３２から出射されてハーフミラー３６によって反射されたレーザ光に１／４波長の位相差を生じさせる１／４波長板３７と、１／４波長板３７を透過したレーザ光を平行光にするコリメートレンズ３８と、コリメートレンズ３８によって平行光にされたレーザ光を光記録ディスクに向けて立ち上げる立ち上げミラー３９とを含んでいる。
【００２４】
偏光プリズム３２、回折素子３３、回折素子３４、リレーレンズ３５、ハーフミラー３６、１／４波長板３７、コリメートレンズ３８および立ち上げミラー３９は、装置フレーム１１に搭載されている。偏光プリズム３２、回折素子３３、回折素子３４、リレーレンズ３５、ハーフミラー３６および１／４波長板３７は、金属カバー１２によって覆われている。コリメートレンズ３８および立ち上げミラー３９は、対物レンズ駆動機構４０によって覆われている。
【００２５】
フレキシブル回路基板５０は、レーザ光源装置２１と電気的に接続される図示していない端部と、レーザ光源装置２２と電気的に接続される端部５０ｂと、モニタ用受光素子２３と電気的に接続される端部５０ｃと、信号検出用受光素子２４と電気的に接続される端部５０ｄと、対物レンズ駆動機構４０と電気的に接続される図示していない端部とを備えており、部分的に折り曲げられて立体的に装置フレーム１１に搭載されて金属カバー１２によって覆われている。
【００２６】
図４は、対物レンズ駆動機構４０の斜視図である。図５（ａ）、（ｂ）は、それぞれ対物レンズ駆動機構４０の平面図、右側面図である。図６（ａ）〜（ｃ）は、それぞれ対物レンズ駆動機構４０の正面図、背面図、底面図である。
【００２７】
図４〜図６に示すように、対物レンズ駆動機構４０は、矢印Ｔｒで示すトラッキング方向において略対称であるので、片側については説明を省略する。対物レンズ駆動機構４０は、装置フレーム１１（図２参照。）に固定された磁性体のヨーク６０と、ヨーク６０に取り付けられた駆動マグネット７１、７２と、対物レンズ３１を保持するレンズホルダ８０と、レンズホルダ８０に取り付けられて駆動マグネット７１、７２とともに矢印Ｔｒで示すトラッキング方向における駆動用の磁気回路を構成するトラッキング駆動コイル９１、９２と、レンズホルダ８０に取り付けられて駆動マグネット７１、７２とともに矢印Ｆｏで示すフォーカシング方向における駆動用の磁気回路を構成するフォーカシング駆動コイル９３と、レンズホルダ８０に連結されたワイヤ１０１〜１０３と、ヨーク６０に固定されてワイヤ１０１〜１０３を介してレンズホルダ８０を矢印Ｔｒで示すトラッキング方向、矢印Ｆｏで示すフォーカシング方向および矢印Ｔｉで示すチルト方向に移動可能に支持するホルダ支持部材１１０と、フレキシブル回路基板５０（図２参照。）の図示していない端部およびワイヤ１０１〜１０３と電気的に接続されてホルダ支持部材１１０に固定された基板１２０と、ヨーク６０に対してレンズホルダ８０および基板１２０を固定するネジ１３０とを備えている。
【００２８】
図７は、対物レンズ駆動機構４０の斜視図であって、対物レンズ３１の近傍の図である。図８は、対物レンズ駆動機構４０の分解斜視図であって、対物レンズ３１の近傍の図である。
【００２９】
図７および図８に示すように、レンズホルダ８０は、光記録媒体が対物レンズ３１に接触することを阻止することによって光記録媒体または対物レンズ３１を保護する樹脂製の保護部材８１が搭載されている。なお、保護部材８１は、ゴム製であっても良い。保護部材８１は、対物レンズ３１に対して矢印Ｔｒで示すトラッキング方向における両側に配置されている。保護部材８１は、図７に示すようにトラッキング方向と直交する方向に長尺状に形成され、この長尺方向に細く伸びた長尺方向の両方の端部８１ａと、端部８１ａの付け根に配置されて長尺方向と直交した壁８１ｂとを有しており、左右だけでなく表裏も対称の形状になっている。したがって、対物レンズ３１に対してトラッキング方向における両側に配置された２つの保護部材８１としては、同一の部品を使用することができる。保護部材８１は、後述する弧状突起８０ａに非接触な状態でレンズホルダ８０に端部８１ａで接着剤によって固定されている。
【００３０】
レンズホルダ８０は、対物レンズ３１および保護部材８１の間に配置されて対物レンズ３１の搭載位置を規定するレンズ規定突起としての弧状突起８０ａと、対物レンズ３１に対して矢印Ｆｏで示すフォーカシング方向および矢印Ｔｒで示すトラッキング方向の双方に直交する方向における両側に配置されて対物レンズ３１の搭載位置を規定する弧状係合部８０ｂと、保護部材８１の端部８１ａおよび壁８１ｂに係合して保護部材８１の搭載位置を規定する突起８０ｃおよび突起８０ｄとを有している。弧状突起８０ａは、対物レンズ３１および保護部材８１を互いに対向させる中間切り欠き８０ｅを対物レンズ３１の外周に沿って延設された長尺方向の中央に有している。ただし、中間切り欠き８０ｅは、必ずしも弧状突起８０ａの長尺方向の中央でなくてもよい。突起８０ｃは、保護部材８１の端部８１ａに対して対物レンズ３１側に配置されて保護部材８１の端部８１ａに対して対物レンズ３１側を遮断するようになっており、保護部材規定突起を構成している。突起８０ｄは、保護部材８１の端部８１ａに対して対物レンズ３１側とは反対側に配置されており、保護部材８１の壁８１ｂとは反対側に切り欠き８０ｆが形成されている。なお、保護部材８１は、端部８１ａの両側に配置されたレンズホルダ８０の突起８０ｃおよび突起８０ｄによって端部８１ａが位置決めされるので、レンズホルダ８０の弧状突起８０ａと非接触になっている。
【００３１】
次に、レンズホルダ８０に対物レンズ３１および保護部材８１を搭載する方法について説明する。
【００３２】
図９は、レンズホルダ８０に保護部材８１を搭載している状態の図である。
【００３３】
まず、保護部材８１は、端部８１ａに熱硬化性の接着剤が塗布させる。次いで、図９に示すように、保護部材８１は、長尺方向の中央を組立作業者によってピンセットなどの道具９００で掴まれて、レンズホルダ８０上の位置であって、端部８１ａおよび壁８１ｂがレンズホルダ８０の突起８０ｃおよび突起８０ｄに係合する位置に置かれる。ここで、道具９００は、レンズホルダ８０の弧状突起８０ａに設けられた中間切り欠き８０ｅによって弧状突起８０ａに接触しない。
【００３４】
次いで、図７に示すように、対物レンズ３１は、レンズホルダ８０の弧状突起８０ａおよび弧状係合部８０ｂによって保持される。
【００３５】
ここで、保護部材８１の端部８１ａは、レンズホルダ８０の突起８０ｃによって対物レンズ３１側を遮断されているので、接着剤が流れて対物レンズ３１に到達することを防止することができる。保護部材８１の端部８１ａに塗布された接着剤が多過ぎた場合、余分な接着剤は、レンズホルダ８０の突起８０ｄの隣の切り欠き８０ｆに流れるようになっている。なお、仮にレンズホルダ８０の突起８０ｃによって対物レンズ３１側への接着剤の流出を防げなかったとしても、保護部材８１の端部８１ａは、弧状突起８０ａの中間切り欠き８０ｅから離れているので、接着剤が流れて中間切り欠き８０ｅを介して対物レンズ３１に到達することを防止することができる。
【００３６】
最後に、レンズホルダ８０は、加熱されることによって接着剤が硬化させられて、保護部材８１が固定される。
【００３７】
以上に説明したように、光ヘッド装置１０は、保護部材８１がレンズホルダ８０に搭載されるときに、保護部材８１を掴むためのピンセットなどの道具９００がレンズホルダ８０の弧状突起８０ａの中間切り欠き８０ｅによって弧状突起８０ａに接触しないので、保護部材８１がレンズホルダ８０に搭載される手作業の作業効率を従来より向上することができる。
【００３８】
更に、光ヘッド装置１０は、接着剤が表面張力によって浸みない程度の隙間を持って保護部材８１がレンズホルダ８０の弧状突起８０ａに非接触であるので、保護部材８１がレンズホルダ８０の弧状突起８０ａに接触している場合に比較して、保護部材８１をレンズホルダ８０に固定する接着剤が硬化前に弧状突起８０ａに到達し難く、その結果、光ヘッド装置１０のように弧状突起８０ａの中間切り欠き８０ｅが形成された構成であっても、接着剤が硬化前に流れて弧状突起８０ａの中間切り欠き８０ｅを介して対物レンズ３１に到達することを防止することができる。
【００３９】
なお、保護部材８１は、端部８１ａのみに接着剤が塗布されているが、裏面全体に接着剤が塗布された後、レンズホルダ８０に搭載されるようになっていても良い。保護部材８１の裏面全体に接着剤が塗布される場合であっても、光ヘッド装置１０は、接着剤が表面張力によって浸みない程度の隙間を持って保護部材８１がレンズホルダ８０の弧状突起８０ａに非接触であるので、硬化前の接着剤が弧状突起８０ａに到達し難く、その結果、硬化前の接着剤が流れて弧状突起８０ａの中間切り欠き８０ｅを介して対物レンズ３１に到達することを防止することができる。
【００４０】
また、光ヘッド装置１０は、保護部材８１が対物レンズ３１に対して矢印Ｔｒで示すトラッキング方向における両側のみに配置されており、トラッキング方向直交する方向に形成されていないので、その分トラッキング方向に直交する方向に小型化することができる。しかも、弧状突起８０ａは、中間切り欠き８０ｅが、長尺方向の間に配置されている。したがって、中間切り欠き８０ｅの両側に対物レンズ３１を位置決めさせるための壁があり、この壁によって、対物レンズ３１の固定位置を確実に位置決めすることができる。
【図面の簡単な説明】
【００４１】
【図１】本発明の一実施の形態に係る光ヘッド装置の斜視図である。
【図２】図１に示す光ヘッド装置の分解斜視図である。
【図３】図１に示す光ヘッド装置の斜視図であって、一部の部品が取り除かれた状態での図である。
【図４】図１に示す対物レンズ駆動機構の斜視図である。
【図５】（ａ）図１に示す対物レンズ駆動機構の平面図である。  （ｂ）図１に示す対物レンズ駆動機構の右側面図である。
【図６】（ａ）図１に示す対物レンズ駆動機構の正面図である。  （ｂ）図１に示す対物レンズ駆動機構の背面図である。  （ｃ）図１に示す対物レンズ駆動機構の底面図である。
【図７】図１に示す対物レンズ駆動機構の斜視図であって、対物レンズの近傍の図である。
【図８】図１に示す対物レンズ駆動機構の分解斜視図であって、対物レンズの近傍の図である。
【図９】図１に示すレンズホルダに保護部材を搭載している状態の図である。
【符号の説明】
【００４２】
１０  光ヘッド装置
３１  対物レンズ
８０  レンズホルダ
８０ａ  弧状突起（レンズ規定突起）
８０ｃ  突起（保護部材規定突起）
８０ｅ  中間切り欠き
８１  保護部材
８１ａ  端部
【図１】
2009238296.tif 000003
【図２】
2009238296.tif 000004
【図３】
2009238296.tif 000005
【図４】
2009238296.tif 000006
【図５】
2009238296.tif 000007
【図６】
2009238296.tif 000008
【図７】
2009238296.tif 000009
【図８】
2009238296.tif 000010
【図９】
2009238296.tif 000011